(57)【要約】  【課題】    印字用エンドレスバンドの割出し用の機構および回転保持用の機構を組み合わせることに着目した構造で、印字用エンドレスバンドの列の割出しならびに回転操作を行う操作軸の強度を高め、印字用エンドレスバンドの列の割出しならびに回転操作を的確に行うことができるようにするとともに、部品点数を減らし、印字器の小型化ならびに軽量化を実現でき、構造が簡単で組み立て作業時などにおいても作業に便利な印字器における印字選択装置を提供すること。【解決手段】  選択ホイールの回転を固定的に保持するとともに、選択される選択ホイールのみを回転させる切欠き部を形成する付属ロッドが形成されてなるインジケーターと、操作軸に沿って設けられている案内部と、のどちらか一方に選択溝が設けられていることを特徴とする。【選択図】        図３
2011152800.tif 000002
【特許請求の範囲】
【請求項１】
印字器フレームに取付けた選択ホィールと印字圧受けユニットとの間に設けるとともに、外周面に複数の印字文字を有する複数列の印字用エンドレスバンドと、
前記選択ホイールを操作する操作軸と、
この操作軸に設けられるとともに、前記操作軸の軸方向への移動により移動可能であるスライド支持部と、このスライド指示部を前記操作軸の軸方向に移動可能に保持するガイド支持部と、
前記印字用エンドレスバンドの内周面において、前記選択ホイールに係合可能に形成した駆動用突起部と、この駆動用突起部と係合する印字圧受けユニットと、を有し、
前記印字用エンドレスバンドの前記印字文字を印字位置に容易に位置決めできるよう、前記印字圧受けユニットを配置することができる前記印字器フレームを有することを特徴とする印字器における印字選択装置。
【請求項２】
前記印字器フレームを形成する第一と第二の印字器フレームは、前記印字圧受けユニットの両端を保持するための第一および第二の開口保持部と、前記第一および前記第二の開口保持部内に設けられ、前記印字圧受けユニットに設けられる突耳部を保持し、前記印字器フレームに前記印字圧受けユニットの位置決め可能とする第一および第二の穿孔受け部と、を有することを特徴とする請求項１記載の印字器における印字選択装置。
【請求項３】
前記第一と第二の印字器フレームの有する第一および第二の開口保持部に前記印字圧受けユニットを取付け可能とするとともに、前記第一および第二の開口保持部のすくなくともどちらか一方には組み違い防止用溝を、前記印字圧受けユニットの側端部のすくなくとも一方には前記組み違い防止用溝に係合する突起部を、互いにそれぞれ形成したことを特徴とする請求項１または請求項２記載の印字器における印字選択装置。
【請求項４】
前記第一と第二の印字器フレームの有する第一および第二の穿孔受け部に前記印字圧受けユニットの前記突耳部を取付け可能とするとともに、前記第一および第二の穿孔受け部のすくなくともどちらか一方には組み違い防止用の傾斜面を、前記印字圧受けユニットの突耳部のすくなくとも一方には、前記第一および第二の穿孔受け部のどちらか一方に係合する傾斜を、互いにそれぞれ形成したことを特徴とする請求項１ないし請求項３のいずれかに記載の印字器における印字選択装置。
【発明の詳細な説明】
【技術分野】
【０００１】
本発明は携帯式のラベル印字貼付装置などに装備される印字器にかかるもので、印字選択用の操作軸を通常その軸方向に移動することにより、印字用エンドレスバンドの列を選択（割り出し）し、さらにこの列において操作軸を回転することにより選択ホィールを回転させて、印字用エンドレスバンドにおける所望の印字文字を選択する印字器における印字選択装置に関するものである。    
【背景技術】
【０００２】
従来のラベル印字貼付装置などに装備される印字器においては、印字文字および見出し文字を形成した印字用エンドレスバンドを選択ホィールなどに回転可能に支持し、これを回転させて所望の印字文字を印字可能な状態とし、インキローラーにより印字文字にインキを塗布し、ラベルなどに押印するようにしている。この印字文字の選択にあたっては、印字選択用の操作軸を通常その軸方向に移動することにより印字用エンドレスバンドの列を選択（割り出し）し、さらにこの列において操作軸を回転することにより選択ホィールを回転させて、印字用エンドレスバンドにおける所望の印字文字を選択するようにしている。  
【０００３】
こうした印字文字の選択において、印字用エンドレスバンドの列の割出し節度確保のために各種の機構がある。従来の公知技術として、たとえば、印字用エンドレスバンドの列の割出し節度を確保するため、操作軸の外周面に設けられる複数列の割出し用溝が軸方向に等間隔で形成してあり、印字器フレームに設けられたスペースに、割出し用スチールボールと、割出し用スチールボールを前記操作軸の割出し用溝方向に付勢する割出しスプリングとにより、所定の列に操作軸およびインジケーターをセット（割出し）可能としている印字割出しの付勢機構が知られている。たとえば特許文献１では、割出し用スチールボールと、割出し用スチールボールを前記操作軸の割出し用溝方向に付勢する機構が開示されている。
しかしながら、印字器フレームに余分なスペースを設ける必要があり、印字器自体も必然的に大型化してしまうとともに、この印字器を備えるラベル印字貼付装置自体も大型化してしまい、ラベル印字貼付装置のコストアップを招来する要因となり、またラベル印字貼付装置の小型軽量化の障害となるという問題がある。                      
【０００４】
また、ラベル印字貼付装置の小型軽量化を達成する機構として、特許文献２では、スリーブ上に形成される係止爪と、セット軸の外周面に設けられる係止凹部と、が係合する機構が開示されている。ラベル印字貼付装置の軽量化を達成する上において、また操作軸の外周面に割り出し用の溝が形成される構成にして割出し節度を取るようにしているため、その材質には軽量で成形加工可能なプラスチック等を利用することが好ましい。
しかしながら、プラスチック成形された操作軸に複数の溝が複数形成されていると、操作軸自体の径は一定ではないため、その強度は高いものではなく、操作者の操作や扱い状況に応じた強度を得ることが出来ない。
【０００５】
さらに、いずれの場合でも、印字用エンドレスバンドのいずれもが隣り合うように配置されており、また、選択ホイールも隣り合うよう配置されている。そのため、操作軸を軸方向に移動し印字用エンドレスバンドを回転するにあたり、隣合う印字用エンドレスバンドないしは隣り合う選択ホイールが接触している状態にあるため、操作軸が割出したい列の印字用エンドレスバンドと隣接する列の印字用エンドレスバンドが共周りしてしまい、割出した所定の列の印字用エンドレスバンドのみの的確な回転を確保できない問題がある。この実現のため、たとえば従来の公知技術として、複数列の印字用エンドレスバンドを張架する複数の節度コマが、互いに隣り合わせにならないようスペーサー等の独立部材を介する機構が知られている。また、複数の選択ホイールが互いに隣り合わせにならぬようスペーサー等の独立部材を介する機構も知られている。なお、これらの機構では、通常、スペーサー等の独立部材が、選択ホイールまたは節度コマの、少なくともどちらか一方に設けられていればよい。しかし、これら構成では、部品点数が増えるとともに、機構自体が複雑化してしまい、保守点検時等の組立て作業に手間隙がかかり、部品管理などが困難になる問題があり、なによりも機構自体が大型化してしまう問題がある。
さらに、節度コマにおいては、この節度コマの有する印字用エンドレスバンドのそれぞれが互いに接触しないよう、節度コマの外径よりもスペーサー等の独立部材の外径を大きく
する必要があり、節度コマの断面外径よりスペーサー等の独立部材が突出するので、節度
コマを印字方向に対し位置決め可能に保持する節度コマ受け部材を、各々の節度コマに対
応して設ける必要があり、部品点数が増えるとともに、機構自体が複雑化してしまう問題
があり、なによりもコストアップをも招来する要因となる問題点がある。
さらに、節度コマと節度コマ受け部を一体的に形成し、ユニット化することは、印字用エンドレスバンドの印字文字を適正な位置に容易に配置可能であり、保守点検時等の組立て作業を容易にする上でも好ましいものであるが、節度コマと節度コマ受け部材をユニット化するうえで、節度コマの断面外径よりスペーサー等の独立部材が突出すると、節度コマ受け部材を節度コマに対応する分だけ独立して設ける必要があり、部品点数が増えるとともに、容易にユニット化することが難しいものとなる問題がある。
さらに、複数の印字用エンドレスバンドにあっては、節度コマと節度コマ受け部をユニット化することで、回転する印字用エンドレスバンドの片寄り走行や蛇行により、回転する印字用エンドレスバンドと、それに隣接する印字用エンドレスバンドが接触し磨耗するため、印字用エンドレスバンドの寿命低下を招く問題もある。
【０００６】
【特許文献１】特開平１０−１４７０４６号公報
【特許文献２】特開昭６０−１８３８９号公報
【発明の開示】
【発明が解決しようとする課題】
【０００７】
本発明は以上のような諸問題に鑑みてなされたもので、印字用エンドレスバンドの割出し用の機能および回転保持用の機能を組み合わせることに着目し、印字用エンドレスバンドの列の割出しならびに回転操作を行う操作軸の強度を高め、かつ印字用エンドレスバンドの列の割出しならびに回転操作を的確に行うことができるようにした印字器における印字選択装置を提供することを課題とする。
また本発明は、部品点数を減らし、印字器の小型化ならびに軽量化を実現できる印字器における印字選択装置を提供することを課題とする。
また本発明は、構造が簡単で組み立て作業時などにおいても作業に便利な印字器における印字選択装置を提供することを課題とする。
また本発明は、印字用エンドレスバンドの印字文字を印字位置に容易に、かつ正確に位置決め可能であるとともに、容易に組み立て作業を行えるユニット化された節度コマを有する印字器における印字選択装置を提供することを課題とする。
また本発明は、ユニット化した節度コマの組み付け方向の間違いを防止可能とすることで、組立て作業性の向上及びコスト低減が可能な印字器における印字選択装置を提供することを課題とする。
また本発明は、印字用エンドレスバンドの適正な回転を保障し、かつ複数の印字用エンドレスバンドが互いに接触することで生じる摩耗による損傷をできるだけ低減可能である節度コマを有する、印字器における印字選択装置を提供することを課題とする。
【課題を解決するための手段】
【０００８】
すなわち本発明に係わる印字器における印字選択装置は、操作軸の近傍に割出し用の機構および共回り防止用の機構を組合せ設けることにより、操作軸の軸径を一定にすることに着目したもので、外周面に印字文字を有する複数列の印字用エンドレスバンドと、前記印字文字は、印字用エンドレスバンドの回転により印字位置に至るようにされており、前記印字用エンドレスバンドを回転させる操作軸、および複数の溝を形成した選択ホイールと、前記選択ホイールを回転可能に支持するとともに、前記操作軸の径方向へ突出した駆動ピンに係合する軸方向へ形成されたスリットを有しており、前記駆動ピンと前記スリットとの係合により前記操作軸と共に回転する案内部と、前記操作軸に設けられるとともにその軸方向への移動により移動可能であり、前記選択ホイールに係合し、かつその回転を選択的に許容するスライド支持部と、前記スライド支持部を前記操作軸の軸方向に移動可能に保持するガイド支持部と、を有し、前記案内部と前記スライド支持部のいずれか一方には、選択溝が設けられていることを特徴とする。
また本発明において、前記スライド支持部は、前記選択ホイールの回転を固定的に保持するとともに、割出される選択ホイールのみを回転させる切欠き部を形成する付属ロッドが形成されてなることを特徴とする。
また本発明において、前記選択溝は、前記案内部の前記スリットに複数形成されており、この選択溝に断続的に係合する前記駆動ピンが配置されてなることを特徴とする。
また本発明において、前記選択溝は、前記インジケーターに複数の選択溝が形成されており、この選択溝の移動の際に、この選択溝に断続的に係合をなす抑制アーム部が前記ガイド支持部に配置されている印字器における印字選択装置を提供することを特徴とする。また本発明において、前記選択溝は、前記駆動ピンが前記選択ホイールに対応する位置に配置されていることを特徴とする。
また本発明において、前記ガイド支持部には、選択ホイールに係合可能な位置決め部を設けたことを特徴とする。
また本発明において、前記位置決め部は、滑脱面を有する凸部材と弾性体とで構成されることを特徴とする。
また本発明において、外周面に印字文字を有する複数列の印字用エンドレスバンドと、前記印字用エンドレスバンドを軸支する操作軸と、この操作軸を操作することにより前記印字文字を選択可能なそれぞれの選択ホイールと、前記印字用エンドレスバンドの内周面において、前記選択ホイールに係合可能に形成した駆動用突起部と、前記駆動用突起部と係合するとともに、前記印字用エンドレスバンドの列方向の偏移を抑え、前記印字文字を印字位置に位置決め可能に配置する印字圧受けユニットと、を設けたことを特徴とする。また本発明において、印字圧受けユニットには、前記印字用エンドレスバンドの駆動用突起部が係合する突起係合溝を形成する節度コマと、前記突起係合溝の一端には、前記印字用エンドレスバンドの駆動用突起部を保持する規制壁部と、が設けられていることを特徴とする。
また、本発明においては、印字器フレームに取付けた選択ホィールと印字圧受けユニットとの間に設けるとともに、外周面に複数の印字文字を有する複数列の印字用エンドレスバンドと、前記選択ホイールを操作する操作軸と、この操作軸に設けられるとともに、前記操作軸の軸方向への移動により移動可能であるスライド支持部と、このスライド支持部を前記操作軸の軸方向に移動可能に保持するガイド支持部と、前記印字用エンドレスバンドの内周面において、上記選択ホイールに係合可能に形成した駆動用突起部と、この駆動用突起部と係合する印字圧受けユニットと、を有し、上記印字用エンドレスバンドの前記印字文字を印字位置に容易に位置決めできるよう、上記印字圧受けユニットを配置することができる上記印字器フレームを有することを特徴とする。
また本発明においては、上記印字器フレームは、上記印字圧受けユニットを保持するための第一および第二の開口保持部と、上記印字圧受けユニットに設けられるとともに、上記印字器フレームに前記印字圧受けユニットの位置決めをすることができる突耳部を保持するため、この第一および第二の開口保持部内に第一および第二の穿孔受け部と、を有することを特徴とする。
また本発明においては、上記印字器フレームの有する第一および第二の開口保持部に上記印字圧受けユニットを取付け可能とするとともに、上記第一および第二の開口保持部のすくなくともどちらか一方には組み違い防止用溝を、上記印字圧受けユニットの側端部のすくなくとも一方には組み違い防止用溝に係合する突起部を、互いにそれぞれ形成したことを特徴とする。
また本発明においては、上記印字器フレームの有する第一および第二の穿孔受け部に前記印字圧受けユニットの前記突耳部を取付け可能とするとともに、前記第一および第二の穿孔受け部のすくなくともどちらか一方には組み違い防止用の傾斜面を形成し、上記印字圧受けユニットの突耳部のすくなくとも一方には、前記第一および第二の穿孔受け部のどちらか一方に係合可能に勘合する傾斜を設けたことを特徴とする。
【発明の効果】
【０００９】
以上に述べたように、本発明に係る印字器における印字選択装置によれば、案内部とスライド支持部のいずれか一方には複数の選択溝が形成されており、この選択溝に係脱可能な係合をなす前記駆動ピンが配置されることにより、操作軸自体の径を一定にでき、その強度を強くすることが出来る。また、前記スライド支持部に複数形成された選択溝に断続的に係合する弾性アーム部が前記ガイド支持部に配置されてなる選択溝を設けることもできる。
さらには、前記選択ホイールの回転を固定的に保持するとともに、選択される選択ホイールのみを回転させる切欠きを形成する付属ロッドが形成される前記スライド支持部と、操作軸に沿った選択手段と、が相対的に作用するとともに、操作軸の近傍に組合せて設けられた構成であるため、選択溝と、スライド支持部と、がともに選択ホイールの近傍に一体的に設けてあり、操作軸の操作にただちに伝達されるため、操作感覚に適切な手ごたえを得ることを可能としたものである。しかも、選択溝および前記インジケーターがともに操作軸に着脱可能に設けられているので、部品点数を少なくでき、組立て時の作業性も良好である。また、印字器の小型化ならびに軽量化を実現できる。
さらには、印字器フレームに形成される開口保持部は、印字圧受けユニットを保持するよう穿孔受け部と、組み違い防止用溝を有しており、印字圧受けユニットはこの穿孔受け部に係合する突耳部を有しており、かつ組違い防止用溝に係合する突起部を有しているので、組み付け時に方向がわかりやすいとともに、組み付けの際の間違いをなくし、組み付けが簡単で、組み付け時の作業効率を高めることができる。
さらには、印字圧受けユニットにおいて、印字用エンドレスバンドの駆動用突起部と係合するよう、節度コマそれぞれの有する突起係合溝の一端に規制壁部を設けたので、印字用エンドレスバンドの回転の際に、印字用エンドレスバンドが幅方向の変移して片寄りや蛇行が発生するのを抑止できるので、印字文字の正確な位置決めが可能となる。さらに、印字用エンドレスバンドの片寄りや蛇行を、印字用エンドレスバンドのライフタイムの低下を招くことなく、長期にわたり容易に防止することが可能である。
【発明を実施するための最良の形態】
【００１０】
本発明を実施するための最良の形態による印字選択装置２を備えた印字器１について図１乃至図６にもとづいて説明する。図１は、本発明の第一の実施の形態に係る印字選択装置２を備えた印字器１の分解斜視図、図２は印字器１の断面図、図３は、図２のＩＩＩ−ＩＩＩ線断面図であって、印字器１は、印字選択装置２と、この印字選択装置２を保持する印字器フレーム３と、を有している。印字器フレーム３は、第一の第一の印字器フレーム３Ａと、第二の第二の印字器フレーム３Ｂと、により形成され、印字選択装置２を保持しており、この印字選択装置２は、印字選択用の操作ユニット１４と、複数列の選択ホイール４７と、印字圧受けユニット３４と、複数列の印字用エンドレスバンド５２と、を有する。なお、印字器１は一段式の印字器であるが、印字選択装置２自体は必要に応じて、特に図示はしていないが、トップ印字器部（第一段印字器部）およびボトム印字器部（第二段印字器部）を有する二段式の構成、その他の多段式印字器の構成のものにも採用可能である。
【００１１】
第二の印字器フレーム３Ｂは、その上部に見出し窓部１３を有し、第一の印字器フレーム３Ａと一体になり、その下部にインキローラー（Ｒ）に接しインクが塗布されるためのインキローラー対向開口部４をそれぞれ形成してある（図２参照）。このインキローラー対向開口部４において、印字用エンドレスバンド５２に接触可能に、単一の（あるいは二色式の場合にはそれぞれ色が異なる独立の）インキローラー（Ｒ）が転動する。
【００１２】
第一と第二の印字器フレーム３Ａ、３Ｂには、図１に示す通り、その下方に印字圧受けユニット３４を保持する断面長方形状の第一と第二の開口保持部５Ａ、５Ｂと、この開口保持部５Ａ,５Ｂ内には穿孔受け部５ａ、５ｂが設けられている。この開口保持部５Ａ、５Ｂの上方には、印字選択用の操作ユニット１４を支持する断面環状の開口受け部６と、この開口受け部６の下方位置に断面凸状のガイド用開口部７と、が形成されている。
また、第二の印字器フレーム３Ｂ側のガイド用開口部７には、第二の印字器フレーム３Ｂより延出したガイド支持部８が着脱自在に形成されている（図２参照）。なお、ガイド支持部８は、第一と第二の印字器フレーム３Ａ、３Ｂのいずれかに一体形成されてもよい。
また第一と第二の印字器フレーム３Ａ、３Ｂには、その強度を高めるため、隆起した平坦面より成るリブ９が一体成型されている。
【００１３】
図２に示す通り、複数の選択ホイール４７は、その内周には後述する操作部１５の操作シャフト１６に突出係着される駆動ピン１８と係合する内周係合溝５０が形成されており、その外周には後述するスライド支持部２６（図３参照）の移動を確保するとともに、後述の所定列の印字用エンドレスバンド５３（図３参照）のみの回転を確保する外周係合溝５１が形成されている。
【００１４】
また、図２および図３に示すように、複数の選択ホイール４７と後述する印字圧受けユニット３４のそれぞれの節度コマ３５との間には、所定の張力をもって印字用エンドレスバンド５２を張りわたしてある。
印字用エンドレスバンド５２には、特に図示してはいないが、その外周面に互いに所定間隔をあけて、かつバンド基準面に互いに同じ高さで所定数の印字文字および見出し文字を、それぞれの領域に分けて形成してあるとともに、印字用エンドレスバンド５２の内周面において、前記印字文字および前記見出し文字に対応する部分には、選択ホイール４７の外周面に設けられている外周係合溝５１にそれぞれ係合可能な駆動用突起部５５をバンド基準裏面に同じ高さで形成している。
【００１５】
この駆動用突起部５５が、選択ホイール４７の外周係合溝５１に係合し、選択ホイール４７の回転により、任意の印字文字（図示せず）をインキローラー対向開口部４に移動可能とする。ただし、この印字用エンドレスバンド５２は、図３に示す通り、操作部１５の軸線方向に複数列に配置されており、後述するように、移動可能とする所定列の印字用エンドレスバンド５３だけを回転可能とする
【００１６】
次に、図４は、印字器の分解図、図５は、操作ユニット１４近傍の分解斜視図であって、操作ユニット１４は、操作部１５と、スライド支持部２６と、駆動ピン１８と、ガイド支持部８と、案内部１９と、を有する。
【００１７】
操作部１５は、操作シャフト１６と、この操作シャフト１６に着脱可能に設けられた操作用のつまみ部１７と、を有する。操作シャフト１６の一部には、駆動ピン１８が設けられており、複数の選択ホィール４７のいずれか所定の選択ホイール４８（図３参照）の内周係合溝５０と係合し、この選択ホィール４８を回転する。
また、操作シャフト１６の外周面は、その軸線方向に沿って、案内部１９（図３）に覆われている。
【００１８】
次に、スライド支持部２６は、操作シャフト１６に平行に配置されたインジケーター２７と、付属ロッド２９と、が操作部１５と一体に移動可能に形成されている。なお、前記スライド支持部２６は、これを操作シャフト１６に一体形成してもよい。
【００１９】
インジケーター２７には、印字用エンドレスバンド５３に形成された複数の印字文字のうち所望の印字文字（特に図示せず）を選択していることを指し示す指針２８（図５参照）が設けられている。付属ロッド２９は、その断面が略十字形状（図５参照）をなし、断面十字形状の上方に位置する規制バー３０と、断面十字形状の下方に位置するガイドバー３２と、断面十字形状の左右両端に位置する支持バー３３、３３と、を有する。
【００２０】
規制バー３０は、選択ホィール４７の外周係合溝５１に係合することで、選択ホイール４７の回転を規制する。また、規制バー３０には、駆動ピン１８およびインジケーター２７の指針２８に対応する位置に切欠３１が設けられており、この切欠３１に位置する所定の選択ホイール４８のみを回転可能としている。
したがって、規制バー３０は、印字用エンドレスバンド５２のそれぞれに対応して配置される選択ホイール４７に係合することで、切欠３１に位置する所定の選択ホイール４８が回転することにより、所定列の印字用エンドレスバンド５３は回転移動を成し、この印字用エンドレスバンド５３に隣接する他の印字用エンドレスバンド５４の回転は規制される。ガイドバー３２は、ガイド支持部８に形成された後述のガイド用溝１１の溝方向に、支持バー３３、３３はガイド支持部８に設けられた後述のスライド面１２をそれぞれ摺動する。
【００２１】
駆動ピン１８は、操作部１５の操作シャフト１６に設けられ、操作部１５と一体に移動および回転し、案内部１９に設けられた後述するスリット２０を形成する複数列の広隙部２２を介し、所定の選択ホイール４８の内周係合溝５０（図３）に係合可能となっている。
【００２２】
ガイド支持部８には、繋ぎ部１０と、それを囲む両壁により形成されるガイド用溝１１と、がその長手方向に設けられており、このガイド用溝１１は、第二の印字器フレーム３Ｂのガイド用開口部７に亘り延設されているとともに、第一の印字器フレーム３Ａのガイド用開口部７に連接可能としている。
なお、ガイド支持部８の両壁には、略平坦なスライド面１２が設けられており、付属ロッド２９の支持バー３３が摺動する。
【００２３】
案内部１９は、操作部１５の一定径の操作シャフト１６を支持可能に筒状に形成されるとともに、印字器フレーム３に対を成し設けられた開口受け部６（図１参照）に挟持される。案内部１９には、操作シャフト１６の軸線方向に沿ってスリット２０が設けられている。
【００２４】
次に、図６は、案内部１９をスリット２０の方向からみた平面図であって、スリット２０には、略Ｖ字形状を成す選択溝２１がその軸線方向に等間隔に複数形成されるとともに、この選択溝２１が対を成し形成されてなる複数の広隙部２２が、操作部１５の軸線方向に沿って等間隔に配列されている。
この軸線方向に沿い配列される広隙部２２と広隙部２２の間には狭隙部２３が形成され、この狭隙部２３と広隙部２２と、は交互に配列されている。
【００２５】
この筒状の案内部１９は、操作部１５の操作シャフト１６の外周面を、その軸線方向に沿って覆い、広隙部２２と、駆動ピン１８と、が、係脱可能に係合することにより、操作部１５ならびにスライド支持部２６とを任意のセット（割出し）位置に移動可能に保持してある。
【００２６】
こうして、操作ユニット１４により、操作部１５をその軸方向に移動させ、所定の印字用エンドレスバンド５３の位置に、操作部１５に突出係着された駆動ピン１８を位置させる節度を持った割り出しを可能とする。そして、割出した所定の選択ホイール４８を回転させることにより、所定列の印字用エンドレスバンド５３に設けられる所望の印字文字を選択することができる。
【００２７】
そして、とくに図２ないし図５に示すように、複数配列される印字用エンドレスバンド５２のそれぞれに応じて配置されている複数列の選択ホイール４７の外周係合溝５１には、印字用エンドレスバンド５２の駆動用突起部５５が係合するとともに、スライド支持部２６の有する付属ロッド２９の規制バー３０が係合することで、選択ホイール４７の回転を規制する。
【００２８】
こうして、操作部１５と、スライド支持部２６と、駆動ピン１８と、ガイド支持部８と、案内部１９と、を有する操作ユニット１４により、操作部１５を操作して選択した所定列の印字用エンドレスバンド５３の位置に、駆動ピン１８を位置させる節度をもった割出しを可能とするとともに、所定列の印字用エンドレスバンド５３が回転しても、隣接する他の印字用エンドレスバンド５４の共回りを防止することが可能であり、所定列の印字用エンドレスバンド５３のより確実な回転を保証することができる。
【００２９】
次に、図１ないし図４に示すように、印字圧受けユニット３４は、ストッパー受け部４１と、節度コマ受け部３９と、複数の節度コマ３５と、スプリング４４と、回転軸３７と、を有する。
ストッパー受け部４１には、図１に示す通り、その左右両端より略垂下延出するアーム部４２（図１）が対称的に設けられてなる側端部４２Ａと側端部４２Ｂとを形成しており、その左右両端に突耳部４３を形成する。ストッパー受け部４１と節度コマ受け部３９と、の間にはスプリング４４が配置されている。前記側端部４２Ａ、４２Ｂには、節度コマ受け部３９をガイドするためのガイド用長窓４６（図１）と、後述する節度コマ３５を軸支する後述の回転軸３７を支持するための軸孔部４５とが、それぞれ向かい合う位置に形成されてある。
【００３０】
節度コマ受け部３９には、その両端に突縁部４０（図１ないし図３）が設けられているとともに、この突縁部４０をストッパー受け部４１の側端部４２Ａ、４２Ｂにそれぞれに形成されるガイド用長窓４６に嵌合する。突縁部４０とガイド用長窓４６との間には間隙（特に図示せず）が設けられており、突縁部４０は、後述する節度コマの回転により、ガイド用長窓４６の間隙範囲内での節度コマ受け部３９の摺動可能な移動および復帰移動を可能としている。
【００３１】
回転軸３７は、ストッパー受け部４１のそれぞれの側端部４２Ａ，４２Ｂの軸孔部４５（図１）に着脱可能に係合しているとともに、複数配列される節度コマ３５を軸支している。
【００３２】
節度コマ３５は、回転軸３７上に、回転軸３７を中心として正逆任意の方向に回転可能である複数の所定列の節度コマ３６を形成してある。この節度コマ３６の断面は正方形状（図２参照）であり、その四辺のそれぞれの一辺には、突起係合溝３８を所定列の節度コマ３６の厚み方向に亘り形成してある。
この突起係合溝３８には、印字用エンドレスバンド５２の内周に設けられた駆動用突起部５５と係合する。
【００３３】
スプリング４８は、節度コマ受け部３９とストッパー受け部４１の間に配設されており、節度コマ受け部３９を節度コマ３５の方向に付勢可能である。
【００３４】
節度コマ３５には、節度コマ受け部３９が当接しているので、節度コマ３５の回転に伴い、節度コマ３６は、節度コマ受け部３９とストッパー受け部４１との間に設けられているスプリング４４の付勢力に抗して、節度コマ受け部３９をストッパー受け部４１の方向に移動する。節度コマ受け部３９は、節度コマ３６の断面形状（図２参照）に沿って案内され、図３に示す所定の姿勢から略相対的に偏移するとともに、スプリングの付勢力に応じて元位置に復帰するので、所定列の節度コマ３６の節度をもった回転を可能としている。
【００３５】
こうして、印字圧受けユニット３４は、節度コマ３５に当節する節度コマ受け部３９と、この節度コマ受け部３９に当接するストッパー受け部４１と、このストッパー受け部４１と節度コマ受け部３９の間に、スプリング４４を配設した一体構成をなす。
【００３６】
さらに、印字圧受けユニット３４は、ストッパー受け部４１の左右両端に形設する側端部４２Ａ、４２Ｂを、印字器フレーム３の下方に対向形成する開口保持部５Ａ，５Ｂ（図１）にて挟持し、複数列の節度コマ３５をインキローラー対向開口部４（図２）の中央に位置する印字位置ないし所定の印字圧受け位置に容易にセット可能とし、節度コマ３５が印字圧を受けることができるようにしている。
【００３７】
こうした印字選択用の操作ユニット１４と、複数列の選択ホイール４７と、印字圧受けユニット３４と、複数列の印字用エンドレスバンド５２と、から成る印字選択装置２において、通常の印字選択状態では、図３に示すように、操作部１５をその軸方向に移動させることにより任意の列を割出し、割出した列において、操作部１５を正逆任意の方向に回転させれば、所定の選択ホイール４８が所定列の印字用エンドレスバンド５３を回転させるとともに、印字用エンドレスバンド５３の回転に応じて節度コマ３６が回転し、この印字用エンドレスバンド５３の所望の見出し文字（特に図示せず）を見出し窓部１３の案内で見える位置で停止させる。
【００３８】
より具体的には、図２および図３で示すとおり、操作部１５の操作シャフト１６は、筒状の案内部１９の内周にて保持され、この案内部１９のスリット２０に設けられる選択溝２１が、操作シャフト１６の駆動ピン１８を受ける。すなわち、選択溝２１が形成する広隙部２２は、選択ホイール４８の配列間隔に対応する間隔で設けられており、そのいずれか一つの広隙部２４で駆動ピン１８を係合可能に保持する。
操作部１５はその軸方向に移動可能であり、駆動ピン１８は、この操作部１５の移動に応じて、スリット２０を形成する広隙部２２と狭隙部２３（図６参照）を順次断続的に軸方向へ移動してゆく。なお、この移動状態において、案内部１９は弾性変形する。
【００３９】
すなわち、スリット２０に設けられる狭隙部２３は、操作部１５のその軸方向への移動に応じ、この操作部１５の有する駆動ピン１８と摺動可能に係合する。この係合状態において、駆動ピン１８は、案内部１９の弾性力に抗し、案内部１９を外方へ拡げるとともに、駆動ピン１８が狭隙部２３を通過したときには、この弾性力により復帰を可能とする。
【００４０】
たとえば、図３に示すように、操作部１５の駆動ピン１８と選択ホイール４８とが係合する選択位置において、操作部１５を、所定の選択ホイール４８に隣接する他の選択ホイール４９と係合する位置に移動する。特に図６に示すように、操作部１５の有する駆動ピン１８は、広隙部２４から広隙部２５に移動する。そして駆動ピン１８は、広隙部２４と次の選択位置である広隙部２５の間に形成される狭隙部２３に摺動可能に係合することにより、スリット２０の内向きに作用する案内部１９の弾性力に勝る作用により、特に図示してはいないが、スリット２０は外方に拡がり案内部１９は弾性変形する。そして、駆動ピン１８は広隙部２４に隣接する選択位置である広隙部２５に挿嵌されるとともに、スリット２０の内向きに作用する案内部１９の弾性力により復帰することで、選択位置である広隙部２５にて保持される。
【００４１】
図３ないし図６に示すように、操作部１５が有する駆動ピン１８は、スライド支持部２６のインジケーター２７内に形成される指針２８（図５）を通し、操作部１５をその軸方向へ移動操作することによって、広隙部２２（図６）に固定的に保持されながら、選択ホイール４７のいずれか一つの選択ホイール４８を割出す位置に断続的に移動する。
【００４２】
したがって、操作部１５は、複数列の選択ホイール４７に対し、駆動ピン１８が係合する選択ホイール４８の選択（割出し）位置に、操作部１５の駆動ピン１８を保持可能にセットすることが可能である。
【００４３】
このセット状態において、選択ホイール４８は、規制バー３０の切欠３１の位置に配置されている。そして、選択ホイール４８に隣接する他の選択ホイール４９においては、その外周に設けられている外周係合溝５１（図５）に、規制バー３０（図５）が係合しているので、所定の選択ホイール４８を回転させても、他の選択ホイール４９の移動回転が規制される。
【００４４】
すなわち、図２および図３に示すように、操作部１５を回転させる外力が、選択ホイール４８の回転により、選択ホイール４９に間接的または作用的に働いても、付属ロッド２９の有するガイドバー３２が、第一と第二の印字器フレーム３Ａ、３Ｂのいずれかより延出するガイド支持部８のガイド用溝１１に係合しており、付属ロッド２９の有する支持バー３３が、ガイド支持部８のスライド面１２に当接しているので、選択ホイール４９の操作部１５の軸心周りの回転を規制可能に保持する。
【００４５】
したがって、操作部１５のつまみ部１７を回転操作し、操作シャフト１６の駆動ピン１８を介し選択ホイール４８を回転させても、選択ホイール４９は回転することはない。けだし、ガイド用溝１１に係合する支持バー３３と、ガイド支持部８のスライド面１２に係合するガイドバー３２と、により保持される規制バー３０（図２）は、選択ホイール４７の外周面に設けられる外周係合溝５１と係合しているので、規制バー３０に設けられる切欠３１（図３）に位置する選択ホイール４８（図３）の回転時に、選択ホイール４９の回転は阻止されている状態となる。したがって、選択ホイール４９の外周係合溝に規制バー３０が係合し、選択ホイール４８の回転とともに、共回りしてしまうことは防止可能とされるので、選択操作されている印字用エンドレスバンド５３に隣接する印字用エンドレスバンド５４が回転移動することはない。
【００４６】
しかして、操作部１５をその軸方向に移動させることで、操作部１５の駆動ピン１８は、選択（割出し）した所定列において、スリット２０の広隙部２２が固定的に保持するとともに、選択ホイール４８の内周に設けられる内周係合溝５０に突出係合する。次に、操作部１５のつまみ部１７を回転させ、操作部１５の回転駆動を、選択ホイール４８に伝達することで、この選択ホイール４８に係合する印字用エンドレスバンド５３が回転する。
【００４７】
そして、印字用エンドレスバンド５３の回転に合わせ、印字圧受けユニット３４の節度コマ３６がスプリング４４の付勢力により、節度をもった回転をする。
【００４８】
こうして、本発明の印字器に係る印字選択装置２によれば、駆動ピン１８が、案内部１９の選択溝２１と摺動可能に断続的な係合をするため、操作シャフト１６の軸方向への移動における割出し節度を実現できるとともに、操作シャフト１６のシャフト径を変形させることなく一定にし、その強度を強くすることができ、操作部１５を操作すると、操作シャフト１６に生じるねじれや摩擦等に対する操作シャフト１６自体の耐久性を増すことも実現できる。
また選択ホイール４７の外周係合溝５１とスライド支持部２６の付属ロッド２９と、が相互に関連する位置に配置してあり、付属ロッド２９の規制バー３０は外周係合溝５１に係合し選択ホイール４７を保持するとともに、駆動ピン１８と係合する所定の選択ホイール４８の位置には切欠きを形成しているため、操作部１５のつまみ部１７が回転すると、所定の選択ホイール４８のみが回転し、この所定の選択ホイール４８と隣合う他の選択ホイール４９の共周りすることを確実に防止できるため、所定列の印字用エンドレスバンド５３の適正な回転を保障している。
また、操作ユニット１４の有する操作部１５と、操作部１５と、スライド支持部２６と、駆動ピン１８と、ガイド支持部８と、案内部１９と、が選択ホイール４７に関連し、その近傍に配置してあるため、操作部１５の操作がただちに伝達されるため、操作感覚に適切な手ごたえを得ることが可能であり、操作感覚として手ごたえが確かな割出し操作を実現する。さらに、選択溝２１およびスライド支持部２６がともに操作部１５に着脱可能に一体的に設けられているので、組立て時の作業性も良好であるとともに、部品点数を少なくでき、印字器の小型化ならびに軽量化を実現できる。
【００４９】
なお、操作ユニット１４の操作により、所定の選択ホイール４８を反対側（反時計方向）に回転させても、上述と同様の作用により所定列の印字用エンドレスバンド５３に設けられる印字文字（特に図示せず）を選択する操作を行うことができる。
【００５０】
次に、図７は、本発明の第二の実施の形態に係わる印字選択装置１０１を備えた印字器
１００の分解図、図８は、印字器１００の操作ユニット１０２近傍を示す分解斜視図であ
って、以下、図１ないし図６と同様の部分には同一の符号を付し、その詳述はこれを省略
して説明する。  
印字器１００における印字選択装置１０１の有する操作ユニット１０２は、操作部１５と、スライド支持部２６と、駆動ピン１８と、ガイド支持部１２０と、案内部１０３と、を有する。なお図７または図８では、本発明の第一の実施の形態に係る印字選択装置２の有する操作ユニット１４の構成とは異なる他の構成の操作ユニット１４を採用することができる。
【００５１】
図８に示すように、スライド支持部２６は、インジケーター２７と、付属ロッド１０６と、が一体に形成されてなる。付属ロッド１０６においては、規制バー１０７と、ガイドバー１０８と、支持バー１０９と、から形成されてなる。ガイドバー１０８は、印字器フレーム３（３Ａ，３Ｂ）に着脱自在に設けられるガイド支持部１２０に設けられるガイド用溝１１に係合可能に配置される。
なお、ガイド支持部１２０は、第一と第二の印字器フレーム３Ａ、３Ｂの一方より延出するよう着脱自在に設けられてなるものではあるが、第一と第二の印字器フレーム３Ａ、３Ｂより延出するよう一体形成されてもよい。
【００５２】
ガイド支持部１２０には、繋ぎ部１０と、それを囲む両壁により形成されるガイド用溝１１が設けられている。なお、ガイド支持部１２０においては、図８に示す通り、その両壁には、略平坦なスライド面１２を有しているとともに、その一方には、弾性移動可能な弾性アーム部１２１が形成されている。この該弾性アーム部１２１の先端には係止突部１２２が形成されている。
【００５３】
図７及び図８に示すように、操作部１５は、軸方向に延出した操作シャフト１６と、操作用のつまみ部１７と、から成り、その操作部１５を、軸方向に移動させることにより任意に選択された所定の選択ホイール４８を割り出し、割り出した所定の選択ホイール４８を回転させることにより、その所定の印字用エンドレスバンド５３内の特定の印字文字（図示せず）を選択するもので、スライド支持部２６を着脱可能に取り付けてあるとともに、操作部１５の操作シャフト１６の一部には駆動ピン１８を突出係着してある。この駆動ピン１８は、操作シャフト１６を覆うよう備えられる案内部１０３のスリット１０４を介し、選択ホイール４７の内周係合溝５０に係合可能となっている。
【００５４】
また、スライド支持部２６に一体形成され、スライド支持部２６および操作部１５に対し平行に配置されてなる断面略十字形状の付属ロッド１０６においては、操作部１５の軸方向には操作部１５と一体に移動し、回転方向はフリーであって、その断面外向き四方に突出する部位の長手方向の一部には切欠３１が形成される規制バー１０７と、その対設する方向の部位には、印字器フレーム３より延出するガイド用支持部８のガイド用溝１１に、その溝方向にスライド可能に係合するガイドバー１０８と、ガイド用支持部８の両壁に設けられるスライド面１２に亘り、その下面が係合する２つの支持バー１０９と、から形成されてなる。この支持バー１０９の一方には、ガイド用支持部８に設けられた弾性アーム部１２１と係合する複数の選択溝１２３が等間隔で配列されるとともに、一体的に設けられている。
【００５５】
こうした構成の印字器１００における印字選択装置１０１において、通常の印字選択状態では、操作部１５をその軸方向に移動させることにより所定列の印字用エンドレスバンド５３を割り出し、その列においてこれを正逆任意の方向に回転させれば、所定の選択ホイール４８が所定列の印字用エンドレスバンド５３を回転させる。
【００５６】
具体的には、図８に示すように、支持バー１０９に設けられる複数の選択溝１２３は、選択ホイール４７のそれぞれの配列間隔に対応する間隔で設けられており、ガイド支持部１２０の両壁の一方に設けられ、弾性変形する弾性アーム部１２１の先端に形成された係止突部１２２に係合する。さらに、選択溝１２３は、操作部１５をその軸方向に移動するのに応じて、弾性アーム部１２１の先端の係止突部１２２と着脱自在に係合し、順次断続的に軸方向へ移動してゆく。
【００５７】
すなわち、等間隔で配列される選択溝１２３は、操作部１５の軸方向への移動に応じて移動するとともに、ガイド支持部１２０に設けられる弾性アーム部１２１の先端に形成される係止突部１２２との係合が外れる。係止突部１２２は、選択溝１２３の形状に沿いながら移動をするので、特に図示していないが、所定姿勢を保持した状態にある弾性アーム部１２１を、選択溝１２３から離反する方向に弾性変形させるとともに、操作部１５の移動方向にある選択溝１２３と係止突部１２２が係合することで、弾性アーム部１２１を元の所定姿勢に復帰可能とする。
【００５８】
したがって、操作部１５の操作シャフト１６が有する駆動ピン１８は、インジケーター２７の指針２８を通し、スリット１０４にガイドされながら、操作部１５をその軸方向へ移動操作する。そして、駆動ピン１８は、支持バー１０９の選択溝１２３と、係止突部１２２と、の係脱可能な係合により間接的に保持されるとともに、スリット１０４に案内されながら、選択ホイール４７のいずれかの選択ホイール４８を割出す位置に断続的に移動することができる。したがって、操作部１５は、駆動ピン１８を、選択ホイール４８の割出し位置に、保持可能にセットすることができる。
【００５９】
なお、選択ホイール４８においては、駆動ピン１８が係合するとともに、付属ロッド１０６の有する規制バー１０７に形成されている切欠３１の位置が対応しているので回転可能である。また、この回転状態において、選択ホイール４９は、その外周に設けられている外周係合溝５１に、付属ロッド１０６の規制バー１０７が係合しており、その回転移動が規制される。
【００６０】
以上述べたように、操作ユニット１０２を有する印字選択装置１０１においても、操作ユニット１０２の有するガイド支持部１２０の弾性アーム部１２１と、スライド支持部２６の支持バーと、を近接して配置し、弾性アーム部１２１の係止突部１２２が、支持バー１０９の選択溝１２３と係脱可能に係合するため、操作シャフト１６の径を変形させることなく一定にすることができ、その強度を強くすることができるとともに、操作シャフト６に生じるねじれや摩擦等に対する耐久性の改善や向上を実現できる。
さらに、選択ホイール４７の外周係合溝５１とスライド支持部２６の付属ロッド１０６と、が相互に関連する位置に配置してあり、付属ロッド１０６の規制バー１０７は、選択ホイール４９の外周係合溝５１と係合しているので、操作部１５を回転させても、所定の選択ホイール４８に隣接する他の選択ホイール４９の回転は規制されるので、所定の選択ホイール４８に支持される所定の印字用エンドレスバンド５３に隣接する印字用エンドレスバンド５４が共回りすることを確実に防止でき、所定列の印字用エンドレスバンド５３の適正な回転を保障している。
さらに、操作ユニット１０２の有する操作部１５と、スライド支持部２６と、駆動ピン１８と、ガイド支持部１２０と、案内部１０３と、が選択ホイール４７に直接的に及び間接的に、または作用的に、も関連し、その近傍に配置してあるため、操作部１５の操作がただちに伝達されるため、操作感覚に適切な手ごたえを得ることが可能であり、操作感覚として手ごたえが確かな割出し操作を実現する。さらに、選択溝１２３およびスライド支持部２６がともに操作部１５に着脱可能に一体的に設けられているので、組立て時の作業性も良好であるとともに、部品点数を少なくでき、印字器の小型化ならびに軽量化を実現できる。
【００６１】
次に、図９は、本発明の第三の実施の形態に係わる印字選択装置２０１を備えた印字器２００の分解図、図１０は、図９のＸ−Ｘ線の断面図であって、以下、図１ないし図６と同様の部分には同一の符号を付し、その詳述はこれを省略して説明する。
図９に示す通り、印字器２００は、印字選択装置２０１と、この印字選択装置２０１を保持する左右一対の印字器フレーム３（３Ａ、３Ｂ）と、を有している。
印字選択装置２は、図１０に示す通り、印字選択用の操作ユニット２０２と、複数列の選択ホイール４７と、印字圧受けユニット３４と、複数列の印字用エンドレスバンド５２と、を有する。なお、図９および図１０に示すように、本発明の第３の実施の形態に係る印字器２００の印字選択装置２０１では、選択ホール４７の回転に節度を持たせ、印字用エンドエスバンドの回転を保持する機能を実現する操作ユニット２０２を有する。
【００６２】
図１０に示すように、操作ユニット２０２は、操作部１５と、スライド支持部２６と、駆動ピン１８と、ガイド支持部２０６と、案内部１９と、を有する。ガイド支持部２０６は、印字器フレーム３（図９参照）に着脱可能に設けられており、その長手方向にわたりガイド用溝２０７と、係合溝２０８と、が形成されている。この係合溝２０８には、位置決め部材２１２が収容可能である。
この位置決め部材２１２は、樹脂で構成される凸部２１３と、弾性体２１７と、ベース２１６と、により構成されている。
【００６３】
係合溝２０８は、その断面は十字形状であり、その一端は選択ホイール４７の方向に開放された開放端２１１となし、凸部２１３をガイドする領域であるとともに、凸部２１３が係合する当節部２０９を有するストローク溝２１０が、その軸方向に貫通するよう形成してなる。
【００６４】
凸部２１３は、その内周は空間をなしており、滑脱面２１４と、その両端より延出するツバ２１５と、を有している。
ベース２１６（図９）は、すくなくとも二つの面を有する形状であり、そのいずれかの面から突出するように弾性体２１７が設けられている。
凸部２１３は、特に図示していないが、弾性体２１７を、凸部２１３の、その内周の空間に収めるとともに、ベース２１６と組み合わされた状態で、係合溝２０８に挿入される。この挿入された状態にて、凸部２１３の滑脱面２１４は、係合溝２０８の開放より突出した状態にて配置される。
なお、滑脱面２１４は、図１０に示すとおり、便宜上その断面が半円形の彎曲であることが好ましいが、この形状に限定される必要はない。
【００６５】
図１０に示すように、凸部２１３は、ツバ２１５が形成され、弾性体２１７を有するベース２１６とともに、ガイド支持部８の係合溝２０８に挿入される。そして、係合溝２０８に形成されるストローク溝２１０に、凸部２１３のツバ２１５が配置され、ストローク溝２１０の当節部２０９と、凸部２１３のツバ２１５と、が係合することで、弾性体２１７が凸部２１３を開放方向へ弾性付勢する弾性力に抗する作用により、凸部２１３とベース２１６を、係合溝２０８に嵌挿・固定する。
この固定状態において、凸部２１３の有する滑脱面２１４は、選択ホイール４７の外周に形成された外周係合溝５１に係合している。
【００６６】
次に、ガイド用溝２０７においては、操作部１５の付属ロッド２０３が収容されている。付属ロッド２０３には、ガイド用溝２０７に収容されるガイドバー２０５と、規制バー２０４とから形成されてなる。
規制バー２０４は、選択ホイール４７の方向へガイド用溝２０７から突出しており、選択ホイール４７の外周に形成された外周係合溝５１に係合可能である。そして規制バー２０４の長手方向の一部には、切欠３１（図９参照）が形成されてある。
【００６７】
なお、規制バー２０４の切欠３１（図９）は、操作部１５の有する駆動ピン１８と、スライド指示部２６のインジケーター２７に形成される指針２８に対応する位置に設けてある。
【００６８】
選択ホイール４７は、その内周には内周係合溝５０が形成されてあるとともに、その外周には外周係合溝５３が形成されてある。選択ホイール４７の内周係合溝５０は、操作部１５に突出係着される駆動ピン１８と係合可能である。また、選択ホイール４７の外周係合溝５１は、所定の印字用エンドレスバンド５２の回転移動を可能とする。
【００６９】
とくに、選択ホイール４７と節度コマ３５との間に、所定の張力をもって印字用エンドレスバンド５２を張りわたしてある。印字用エンドレスバンド５２の内周面には、選択ホイール４７の外周係合溝５１にそれぞれ係合可能な駆動用突起部５５を形成してある。この駆動用突起部５５は、選択ホイール４７の外周係合溝５１に係合し、選択ホイール４７の回転により、印字用エンドレスバンド５２を回転駆動させる。
そして、所定の印字文字（図示せず）をインキローラー対向開口部４に移動可能とする。
【００７０】
また、選択ホイール４７の外周係合溝５１には、スライド支持部２６が有する付属ロッド２０３に隆起する規制バー２０４が係合する。そして、規制バー２０４の切欠３１の位置には、選択ホイール４８が配置される。選択ホイール４８に隣接する他の選択ホイール４９は、その外周係合溝５１に、付属ロッド２０３の規制バー２０４が係合することで、操作部１５を回転操作し、駆動ピン１８を介し選択ホイール４８を回転させても、この選択ホイール４８（図３）に隣接する選択ホイール４９（図３）の回転移動が規制される。
【００７１】
また、選択ホイール４８の外周係合溝５１には、ガイド支持部８の係合溝２０８に収容される凸部２１３の滑脱面２１４が係合してあるので、後述の通り、操作部１５の回転操作の際に、節度をもって所定列の印字用エンドレスバンド５３を回転可能としてある。
【００７２】
すなわち、操作部１５の有する駆動ピン１８は、案内部１９を介し、選択ホイール４８の内周に設けられる内周係合溝５０に突出係合する。そして操作部１５が回転するときには、凸部２１３の滑脱面２１４は、選択ホイール４８の外周係合溝５１内を移動してゆく。
【００７３】
より詳細には、弾性体２１７は、凸部２１３と、ベース２１６と、の間に配置されつつ係合溝２０８に収容されているとともに、凸部２１３を選択ホイール４８方向に付勢している。凸部２１３の滑脱面２１４は、選択ホイール４８の外周係合溝５１に着脱可能に係合している状態である。この状態において、操作部１５を操作し選択ホイール４８が回転すると、滑脱面２１４は、選択ホイール４８の回転により生じる弾性体２１７の付勢力に抗する作用により、選択ホイール４８の外周係合溝５１との係合が外れる。そして、着脱面２２３は選択ホイール４８の外周形状に沿うように摺接するので、凸部２１３は上下に移動する。この移動状態において、凸部２１３の有するツバ２１５は、ストローク溝２１０の当節部２０９から離れるよう略相対的に変移するとともに、弾性体２１７の付勢に応じて当接部２１８に当接するよう復帰する。そして凸部２１３の着脱面２２２は、選択ホイール４８の外周係合溝５１に係合することになる。
【００７４】
さらに、操作部１５がその軸方向に移動するときには、駆動ピン１８は、案内部１９のスリッド２０の選択溝２１が対を成し形成する広隙部２２（図６）に保持されながら、選択ホイール４８を割出す位置に、断続的に移動することができる。駆動ピン１８は、インジケーター２７の指針２８を通し、操作部１５の操作シャフト１６をその軸方向へ移動操作する。そして、駆動ピン１８は、案内部１９の選択溝２１と、係脱可能な係合により断続的に保持されるとともに、選択ホイール４７のいずれか所定の選択ホイール４８を割出す位置に断続的に移動することができる。したがって、駆動ピン１８は、選択する所定の選択ホイール４８を割出すことができる。
【００７５】
そして、選択ホイール４７の外周係合溝５１には、付属ロッド２０３に設けられる規制バー２０４と、凸部２１３の着脱面２２３が係合する。規制バー２０４は所定の選択ホイール４８を除き、その所定の選択ホイールに隣接する他の選択ホイール４９の外周に設けられている外周係合溝５１に係合しており、選択ホイール４８（図３）の回転の際には、他の選択ホイール４９（図４）の回転を規制する。そして、凸部２１３の着脱面２２３は選択ホイール４７の外周係合溝５１に係合しており、凸部２１３は、弾性体２１７が上下に伸縮するのに応じて、選択ホイール４８の外周係合溝５１に、上下移動可能に係合するので、選択ホイール４８は一定の規制のもと回転することになる。
【００７６】
以上説明したように、操作ユニット２０２の有する駆動ピン１８が、案内部１９の選択溝２１と係脱可能に係合し、操作シャフト１６の軸方向への移動における割出し節度を実現するとともに、ガイド支持部２０６に、スライド支持部２６の付属ロッド２０３と、凸部２１３および弾性体２１７とを近接して配置し、駆動ピン１８と係合する所定の選択ホイール４８の位置には、スライド支持部２６の有する付属ロッド２０３の規制バー２０４に形成した切欠３１が位置し、所定の選択ホイール４８は回転可能であるとともに、凸部２１３が選択ホイール４７の外周係合溝に係脱可能に係合するので、選択ホイール４７を介し、割出しおよび回転保持機能は、操作シャフト１６に間接的に作用するため、操作シャフト１６の径を変形させることなく一定にすることができ、その強度を強くすることができるとともに、操作シャフト１６に生じるねじれや摩擦等に対する耐久性の改善や向上を実現できる。
【００７７】
さらに、選択ホイール４７の外周係合溝５１は、スライド支持部２６の付属ロッド２０３と、凸部２１３と、が関連する位置に配置してあり、付属ロッド２０３の規制バー２０４は、選択ホイール４９の外周係合溝５１と係合するとともに、凸部２１３が選択ホイール４７の外周係合溝に係脱可能に係合するので、操作部１５を回転させても、所定の選択ホイール４８に隣接する他の選択ホイール４９の回転は規制され、かつ所定の選択ホイール４８は節度を持った回転を実現できるので、所定の選択ホイール４８に支持される所定の印字用エンドレスバンド５３に隣接する印字用エンドレスバンド５４が共回りすることを確実に防止でき、所定列の印字用エンドレスバンド５３の印字文字を正確に位置決め可能な所定の選択ホイール４８の適正な回転を実現する。
【００７８】
さらに、操作ユニット１４の有する操作部１５と、スライド支持部２６と、駆動ピン１８と、ガイド支持部８と、案内部１９と、が選択ホイール４７に直接的に及び間接的に、または作用的に、も関連し、その近傍に配置してあるため、操作部１５の操作がただちに伝達され、操作感覚に適切な手ごたえを得ることが可能であり、操作感覚として手ごたえが確かな割出し、回転操作を実現する。
さらに、ガイド支持部２０６に、スライド支持部２６の付属ロッド２０３と、凸部２１３および弾性体２１７とを近接して配置してあり、選択溝２１およびスライド支持部２６がともに操作部１５に着脱可能に一体的に設けられているとともに、ガイド支持部は印字器フレーム３（３Ａ、３Ｂ）より着脱可能であるため、組立て時の作業性も良好であるとともに、部品点数を増やすことなく割出し、回転保持機能を実現でき、かつ印字器の小型化ならびに軽量化を実現できる。
【００７９】
次に、図１１および図１２は、本発明における第４の実施の形態にかかわる印字器３００における印字選択装置３０１が備える印字圧受けユニット３４の変形例であり、たとえば、図１１は印字圧受けユニット３０２の近傍の要部拡大斜視図を示し、図１２は、印字受けユニット３０２、第一と第二の印字器フレーム３Ａ、３Ｂの接続側の端部側面示しており、以下、これらの図に基づき説明する。前述した図１乃至図６に示される印字器１と同様の構成には同一の符号を付し、その説明を省略する。なお、本第４の実施例では、印字器１に基づき説明するものであるが、あくまでも一実施例であり、本発明における印字圧受けユニット３０２は、前記いずれの実施例の印字器１、（１００、２００）にも採用、組み込むことが出来るものである。
【００８０】
図１１に示すとおり、印字圧受けユニット３０２は、ストッパー受け部４１と、節度コマ受け部３９と、複数の節度コマ３５と、スプリング４４（図示しない）と、回転軸３７と、を有している。
印字圧受けユニット３０２は、印字用エンドレスバンドの印字文字（図示しない）を、インクローラー対向開口部４の所定位置からズレないように配置するもので、印字圧受けユニット３４は、第一と第二の印字器フレーム３Ａ、３Ｂのリブ９により形成した、対をなす開口保持部５Ａ、５Ｂと、に嵌合する。また、印字圧受けユニット３４の配置方向をきめるため、開口保持部５Ａ側にあるストッパー受け部４１の一方の側端部４２Ａには、その厚み方向に突出する第一突起部３０３Ａを設け、開口保持部５Ｂ側にあるストッパー受け部４１の他方の側端部４２Ｂには、その厚み方向へ突出する第二突起部３０３Ｂを有している。第一突起部３０３Ａと、第二突起部３０３Ｂと、の位置関係は、互いが略相対的に対をなす同一方向へ突出するよう設けられている。
【００８１】
図１２は、印字圧受けユニット３０２と、第一の印字器フレーム３Ａと、第二の印字器フレーム３Ｂと、の接続側の端部側面を示した図である。図１２（ａ）は、第一の印字器フレーム３Ａを、図１１に示す、矢印Ａ方向に見た図である。図１２（ｂ）は、印字圧受けユニット３０２（ストッパー受け部４１）の側端部４２Ａを矢印Ｂ方向に見た図である。図１２（ｃ）は、印字圧受けユニット３０２（ストッパー受け部４１）の測端部４２を矢印Ａ方向に見た図である。図１２（ｄ）は、第二の印字器フレーム３Ｂを矢印Ｂ方向に見た図である。
【００８２】
第一の印字器フレーム３Ａと３Ｂは、印字圧受けユニット３０２の側端部４２Ａ、４２Ｂを保持するため、第一の印字器フレーム３Ａと３Ｂの各々のリブ９により形成される開口保持部５Ａ、５Ｂと、この開口保持部５Ａ、５Ｂ内に形成するとともに、ストッパー受け部４１に形成される突耳部が嵌設する穿孔受け部５ａと、５ｂと、が設けてある。
【００８３】
開口保持部５Ａは、印字圧受けユニット４１の側端部４２Ａに勘合するよう、その外形は決められており、開口保持部５Ｂは、印字圧受けユニット３０２の側端部４２Ｂに勘合するようその外形は決められている。また、開口保持部５Ａには、印字圧受けユニット４１の突起部３０３Ａに対応する位置に、組違い防止用溝３０４Ａが設けられ、開口保持部５Ｂには、突起部３０３Ｂに対応する位置に組違い防止用溝３０４Ｂが設けられている。そして、印字圧受けユニット４１の側端部４２Ａが開口保持部５Ａに嵌合するとともに、突起部３０３Ａは組違い防止用溝３０４Ａに嵌合する。また側端部４２Ｂが開口保持部５Ｂに嵌合するとともに、突起部３０３Ｂは組違い防止用溝３０４Ｂに嵌合する。
【００８４】
開口保持部５Ａ、５Ｂは、第一と第二の印字器フレーム３Ａ、３Ｂより隆起するリブ９により、その各々の輪郭を形成してあり、印字圧受けユニット３０２の側端部４２Ａ、４２Ｂを覆うように挟持して保持するので、図１１で示す通り、印字圧受けユニット４１の図示矢印方向に対する前後方向へのズレを防止することを可能とする。さらに，開口保持部５Ａ内の穿孔受け部５aと開口保持部５Ｂ内の穿孔受け部５ｂのそれぞれには、突耳部が嵌合するため、印字圧受けユニット３４の図示矢印方向に対する縦方向へのズレを防止可能である。
【００８５】
このように、開口保持部５Ａ、５Ｂは印字圧受けユニット３４の側端部４２Ａ、４２Ｂを覆い、または保持するよう、２段階の機能的な組み付けを実現できるよう形成してあるので、たとえば、印字圧受けユニット４１の側端部４２Ａは、開口保持部５Ａに嵌合し、そして一方の突耳部４３が穿孔受け部５ａに嵌合すると、印字圧受けユニット３４は開口保持部５Ａに保持される状態になるため、印字圧受けユニット３４の位置決めを容易に行え、印字圧受けユニットの組み付け作業を容易に行うことが可能となる。なお、開口保持部５Ａ、５Ｂを形成するリブ９は第一と第二の印字器フレーム３Ａ、３Ｂ自体を強固にする役割をも果たしている。
【００８６】
図１２に示すように、組違い防止用溝３０４Ａと突起部３０３Ａが嵌合し、組違い防止用溝３０４Ｂと突起部３０３Ｂとが嵌合するので、たとえ印字圧受けユニット３０２を逆さにして開口保持部５に嵌合しようとしても、図１２（ａ）に示す開口保持部５Ａのリブ９と、図１２（ｂ）に示す突起部３０３Ｂと、が干渉し、図１２（ｃ）に示す突起部３０３Ａは、図１２（ｄ）に示す開口保持部５Ｂのリブ９に干渉する状態となるため、最後まで嵌り込むことができず、誤って印字圧受けユニット４１を組み付けるようなことは生じない。
さらに、印字圧受けユニット４１の突起部３０３Ａが組違い防止用溝３０４Ａに嵌合し、また突起部３０３Ｂが組違い防止用溝３０４Ｂに嵌合することができるよう、印字圧受けユニット４１の側端部４２Ａ、４２Ｂの外形を形成しているため、印字圧受けユニット４１を第一の印字器フレーム３Ａと３Ｂの有する開口保持部５Ａ、５Ｂに組み付ける際には、印字圧受けユニットの組み付け方向を目視で確認できる役割をも果たしている。
【００８７】
なお、本第４の実施の形態では、印字圧受けユニット３０２を挟持するに際し、２つの組違い防止用溝（３０４Ａ、３０４Ｂ）が対向するよう略相対位置に対になるよう配置され、この組違い防止用溝３０４Ａに嵌合する突起部３０３Ａと、組違い防止用溝３０４Ｂに嵌合する突起部３０３Ｂと、の位置関係も、互いが略相対的に対をなす同一方向へ突出するよう形成されていることが示されているが、組違い防止用溝３０４Ａ、３０４Ｂの位置関係は略相対的に対をなす位置ではなく、異なる位置関係であってもよく、同様に、突起部３０３Ａと、３０３Ｂの位置関係も異なる位置関係でもよい。
【００８８】
また、本実施例では、２つの突起部３０３Ａ、３０３Ｂが、対応する組違い防止用溝３０４Ａ、３０４Ｂに嵌合するので、組違い防止用の機能を果たしているが、２つに突起部に限らず、すくなくともどちらか一方に、例えば、突起部３０３Ａと、組み違い防止用溝３０４Ａと、だけを互いに勘合するよう設けるか、もしくは、図示していないが、新たに突起部と、組違い防止用溝と、を増設して、同様の機能を果たしてもよい。さらに、穿孔受け部５ａ、５ｂと、ストッパー受け部材４１の突耳部４３と、の形状により組みつけの際の組違い防止の機能を達成してもよく、例えば、図示していないが、開口保持部５内のすくなくとも一方の穿孔受け部５ａに傾斜面を設け、この穿孔受け部に勘合するよう印字圧受けユニット３４の有する、すくなくとも一方の突耳部４３に傾斜面を設けるように形成
し、組違い防止を実現してもよい。
【００８９】
次に、図１３および図１４は、本発明における第５の実施の形態にかかわる印字器４００における印字選択装置４０１が有する節度コマ３５の変形例であり、たとえば、図１３は、図１に示す印字圧受けユニット３４が備える節度コマ４０２の近傍の要部拡大断面図
あり、図１４は、節度コマ４０２の概略斜視図を示しており、以下、これらの図に基づき説明する。前述した図１の構成と同様の構成は同一の符号を付し、その説明を省略する。なお、以下実施の形態は印字器１に基づき説明するものであるが、あくまでも一実施例であり、本発明における節度コマ４０２は、前記いずれの実施例の印字器１、（１００、２００）における、いずれの印字圧受けユニット３４、３００にも採用、組み込むことが出来るものである。
【００９０】
図１３に示す通り、印字圧受けユニット３４は、ストッパー受け部４１のアーム部４２に設けられるガイド用長窓４６で節度コマ受け部３９を保持し、アーム部４２の軸孔部４５に着脱可能に係合する回転軸３７上で、節度コマ４０２を保持している。
節度コマ４０２は、印字圧受けユニット３４のストッパー受け部４１が有する左右両端より略垂下延出するアーム部４２に挟持される回転軸３７上に複数の所定列の節度コマ４０３により形成し、この回転軸３７を中心として正逆任意の方向に回転可能である。この節度コマ４０３の四辺のそれぞれの一辺には、突起係合溝４０１を所定列の節度コマ４０３ごとの厚み方向に亘り形成してある。節度コマ４０３の突起係合溝４０４の一方端には、この突起係合溝４０４を隔離する規制壁部４０５が設けられている。この規制壁部４０５は、その各々が隣り合わせにならないよう配置してある。なお、節度コマ受け部３９には、節度コマ４０２が当接するよう配置してある。
【００９１】
節度コマ４０２と、選択ホイール４７と、の間には所定の張力をもって印字用エンドレスバンド５２が掛け渡してある。印字用エンドレスバンド５２には、その外周面に互いに所定間隔をあけて、所定数の印字文字および見出し文字をそれぞれの領域に分けて形成してあるとともに、印字用エンドレスバンド５２の内周面において、印字文字および見出し文字に対応する駆動用突起部５５を形成している。この駆動用突起部５５は、選択ホィール４７の外周係合溝５１と、節度コマ４０２の突起係合溝４０１と、に着脱可能に係合する。
この係合状態において、印字用エンドレスバンド５２の駆動用突起部５５は、各々の節度コマ４０３の突起係合溝４０４に係合するとともに、その突起係合溝４０４に形成する規制壁部４０５に当接可能な位置に配置される状態となる。
【００９２】
こうして、操作部１５を操作し、選択ホイール４７のうち、いずれか所定の選択ホイール４８の回転により、所定の印字用エンドレスバンド５３が回転すると、この回転駆動は駆動用突起部５５を介し、所定の節度コマ４０３に伝達され、節度コマ４０３も回転する。
【００９３】
この回転状態においては、所定の印字用エンドレスバンド５３は、所定の節度コマ４０３の幅方向の溝に沿いながら、節度コマ４０３の軸方向の一端側（つまり節度コマの幅方向）に片寄る作用が働き、所定の印字用エンドレスバンド５３はその列方向への移動現象（ズレ）が生じるが、所定の印字用エンドレスバンドの駆動用突起部５５は、節度コマ４０３の突起係合溝４０４に係合しているとともに、その規制壁部４０５に当接するので、保持される状態となり、所定の印字用エンドレスバンド５３は一定の範囲でしか移動することができない状態になる。
【００９４】
したがって、所定の印字用エンドレスバンド５３が回転移動しても、その駆動用突起部５５が、節度コマ４０３の各々が有する規制壁部４０５に当接するので、所定の印字用エンドレスバンド５３の列方向への片寄りないしはズレを抑制することが可能である。けだし、所定の印字用エンドレスバンド５３を回転駆動しているときに、所定の印字用エンドレスバンド５３の片寄り、またはその列方向への移動が抑制されるため、所定の印字用エンドレスバンド５３が蛇行することを抑制できるようになり、隣接する他の印字用エンドレスバンド５４との擦過により、回転移動する印字用エンドレスバンド５２が磨耗することを防止することができ、所定の印字用エンドレスバンド５３の適正な回転を保証している。
【００９５】
ゆえに、回転所望の所定の印字用エンドレスバンド５３の位置に、操作部１５に突出係着された駆動ピン１８を位置させ、節度をもった割出しを可能とするとともに、回転所定列の印字用エンドレスバンド５３の移動に伴い、隣接する他の印字用エンドレスバンド５４の共回りを防止することも可能であり、かつ所定の印字用エンドレスバンドの列方向への片寄りないしはその列方向へのズレを抑制することが可能であるため、所定列の印字用エンドレスバンド５３の、より確実な、かつ、より節度ある回転を保障することができるとともに、印字用エンドレスバンドのライフタイムを伸ばすことができる。
【図面の簡単な説明】
【００９６】
【図１】本発明の実施の形態に係る印字器１の分解斜視図、
【図２】同、印字器１の断面図である。
【図３】図２の印字器１のＩＩＩ−ＩＩＩ線断面図である。
【図４】印字器の分解図、図３の印字器１の分解図。
【図５】操作ユニット１４近傍の分解斜視図
【図６】図５の案内部１９をスリット２０の方向からみた平面図
【図７】本発明の第二の実施の形態に係わる操作シャフト１６を有する印字選択装置１０１を備えた印字器１００の分解図、
【図８】同、印字器１００の操作ユニット１０２の近傍を示す分解斜視図
【図９】本発明の第三の実施の形態に係わる印字選択装置２０１を備えた印字器２００の分解図、
【図１０】、同、印字器２００のＸ−Ｘ線の断面図
【図１１】本発明の第四の実施の形態に係わる印字器３００における印字選択装置３０１がそなえる印字圧受けユニットの近傍の要部拡大斜視図
【図１２】同、印字圧受けユニット３０２と第一と第二の印字器フレーム３Ａ、３Ｂの接続側の端部側面
【図１３】本発明における第５の実施の形態にかかわる印字器４００における印字選択装置４０１が有する節度コマ３５の近傍の要部拡大断面図
【図１４】同、節度コマ４０２の概略斜視図
【符号の説明】
【００９７】
１    印字器（図１ないし図６）
２    印字器１における印字選択装置（実施の形態、図１ないし図６）
３Ａ  印字器フレーム
３Ｂ  印字器フレーム
４    インキローラー対向開口部
５Ａ  開口保持部
５Ｂ  開口保持部
５ａ  穿孔受け部
５ｂ  穿孔受け部
６    開口受け部
７    ガイド用開口部
８    ガイド支持部
９    リブ
１０  ガイド支持部８の繋ぎ部
１１  ガイド支持部８のガイド用溝
１２  ガイド支持部８のスライド面
１３  見出し窓部
１４  操作ユニット
１５  操作部
１６  操作部１５の操作シャフト
１７  操作部１５のつまみ部
１８  駆動ピン
１９  案内部
２０  案内部１９のスリット
２１  選択溝
２２  案内部１９の広隙部
２３  案内部１９の狭隙部
２４  駆動ピン１８が位置する広隙部
２５  広隙部２４から次の選択位置である広隙部
２６  スライド支持部
２７  インジケーター
２８  インジケーター２７の指針
２９  スライド支持部２６の付属ロッド
３０  付属ロッド２９の規制バー
３１  付属ロッド２９の切欠
３２  付属ロッド２９のガイドバー
３３  付属ロッド２９の支持バー
３４  印字圧受けユニット
３５  節度コマ（複数列）
３６  所定の節度コマ
３７  節度コマ３５の回転軸
３８  節度コマ３５の突起係合溝
３９  節度コマ受け部材
４０  節度コマ受け部材３９の突縁部
４１  ストッパー受け部材
４２  ストッパー受け部材４１のアーム部
４２Ａ  アーム部４２より形成する側端部
４２Ｂ  アーム部４２より形成する側端部
４３  ストッパー受け部材４１の突耳部
４４  スプリング
４５  軸孔部
４６  ガイド用長窓
４７  選択ホィール（複数列）
４８  所定の選択ホイール
４９  所定の選択ホイール４８に隣接する他の選択ホイール
５０  選択ホイール４７の内周係合溝
５１  選択ホイール４７の外周係合溝
５２  印字用エンドレスバンド（複数列）
５３  所定列の印字用エンドレスバンド
５４  印字用エンドレスバンド５３に隣接する他の印字用エンドレスバンド
５５  駆動用突起部
１００  印字器（図７または図８）
１０１  印字選択装置（図７または図８）
１０２  操作ユニット
１０３  案内部
１０４  案内部１０３のスリット
１０６  付属ロッド
１０７  付属ロッド１０６の規制バー
１０８  付属ロッド１０６のガイドバー
１０９  付属ロッド１０６の支持バー
１２０  ガイド支持部
１２１  弾性アーム部
１２２  係止突部
１２３  選択溝
２００  印字器（図９または図７）
２０１  印字選択装置（図９または図７）
２０２  操作ユニット
２０３  付属ロッド
２０３Ａ  付属ロッド２０３を形成する規制バー
２０３Ｂ  付属ロッド２０３のガイドバー
２０４  ガイド支持部
２０５  同、ガイド用溝
２０６  係合溝
２０７  係合溝２０６を形成する当節部
２０８  係合溝２０６を形成するストローク溝
２０９  開放端
２１０  位置決め部材
２１１  凸部
２１２  凸部２１１の滑脱面
２１３  凸部２１１のツバ
２１４  ベース
２１５  弾性体
３００    印字器（図１１または図１２）
３０１    印字選択装置（図１１または図１２）
３０２    印字圧受けユニット
３０１Ａ  突起部
３０２Ｂ  突起部
３０２Ａ  組違い防止用溝
３０２Ｂ  組違い防止用溝
４００  印字器（図１３または図１４）
４０１  印字選択装置（図１３または図１４）
４０２  節度コマ
４０３  所定の節度コマ
４０４  溝
４０５  規制壁部
【図１】
2011152800.tif 000003
【図２】
2011152800.tif 000004
【図３】
2011152800.tif 000005
【図４】
2011152800.tif 000006
【図５】
2011152800.tif 000007
【図６】
2011152800.tif 000008
【図７】
2011152800.tif 000009
【図８】
2011152800.tif 000010
【図９】
2011152800.tif 000011
【図１０】
2011152800.tif 000012
【図１１】
2011152800.tif 000013
【図１２】
2011152800.tif 000014
【図１３】
2011152800.tif 000015
【図１４】
2011152800.tif 000016